(57)【要約】【課題】既存の端末を変更することなく、ＳＳＩＤフィールドを用いて情報を配信できる仕組みを提供する。【解決手段】情報配信システムは、無線端末と、アクセスポイントとを備える。アクセスポイントは、同報パケットと同一形式の送信パケットを生成し、ＳＳＩＤフィールドに情報を管理するＳＳＩＤ送信情報管理手段と、情報を分割し、各情報の送信パケットを生成する情報分割パケット生成手段と、その送信パケットを送信する送信パケット送信手段と、接続要求フレームを受信する接続要求受信手段と、接続要求フレームの端末側情報に基づいて、無線端末に対して接続の許可を判別する接続応答判別手段と、接続を許可する場合には接続許可応答フレームを無線端末へ送信する接続許可応答フレーム送信手段とを備える。無線端末は、送信パケットを受信する情報に基づいて、接続要求フレームを作成すると共に、送信する接続要求送信手段を備える。【選択図】図２
2008219482.tif 000002
【特許請求の範囲】
【請求項１】
無線端末と、前記無線端末に一定周期で同報パケットを送信するアクセスポイントとを備える無線パケット通信システムにおける情報配信システムであって、
前記アクセスポイントは、
前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理手段と、
前記ＳＳＩＤ送信情報管理手段によって、前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成手段と、
前記情報が格納された前記送信パケットを、前記無線端末に送信する送信パケット送信手段と、
前記無線端末の接続要求送信手段によって送信される接続要求フレームを受信する接続要求受信手段と、
受信した前記接続要求フレームから、格納されている端末側情報を取得し、取得した当該端末側情報に基づいて、当該無線端末に対して接続の許可を判別する接続応答判別手段と、
前記接続応答判別手段によって前記無線端末に接続を許可する場合には、接続許可応答フレームを当該無線端末へ送信する接続許可応答フレーム送信手段と、を備え、
前記無線端末は、
前記送信パケットを受信し、当該送信パケットに含まれる前記情報に基づいて、前記アクセスポイントに接続を要求する前記接続要求フレームを作成すると共に、当該アクセスポイントに前記接続要求フレームを送信する接続要求送信手段、
を備えることを特徴とする情報配信システム。
【請求項２】
前記無線端末は、
仮想ネットワーク識別子に対応可能な端末であって、
前記接続要求送信手段において、前記ネットワーク識別子であるか、又は前記仮想ネットワーク識別子に基づいて、前記接続要求フレームを作成し、
前記アクセスポイントは、
前記ＳＳＩＤ送信情報管理手段において格納する前記情報が、前記送信パケットのネットワーク識別子であるか、又は当該ネットワーク識別子とは異なる前記仮想ネットワーク識別子であって、
前記接続応答判別手段において取得する前記端末側情報が、前記ネットワーク識別子であるか、又は前記仮想ネットワーク識別子によって、前記無線端末に対して接続の許可を判別する
ことを特徴とする請求項１に記載の情報配信システム。
【請求項３】
前記接続応答判別手段は、
前記端末側情報が、前記仮想ネットワーク識別子である場合には、前記無線端末に対する接続を不許可と判別し、当該仮想ネットワーク識別子である旨の情報を含む接続不許可パケットを送信する接続不許可パケット送信手段を
更に備えることを特徴とする請求項２に記載の情報配信システム。
【請求項４】
前記接続応答判別手段は、
前記端末側情報が、前記仮想ネットワーク識別子である場合には、正規の前記ネットワーク識別子のネットワークへのハンドオーバを要求する接続不許可と判別し、前記無線端末へハンドオーバ要求情報を含む接続不許可パケットを送信するハンドオーバ要求接続不許可パケット送信手段を
更に備えることを特徴とする請求項２に記載の情報配信システム。
【請求項５】
前記接続応答判別手段は、
前記端末側情報が、前記仮想ネットワーク識別子である場合には、当該仮想ネットワーク識別子のネットワークへの一時的な接続を許可すると共に、前記接続許可パケットを送信する一時的接続許可パケット送信手段と、
前記一時的な接続を許可する接続パケットを送信した後、正規の前記ネットワーク識別子のネットワークへのハンドオーバを要求する、ハンドオーバ要求情報を含む接続変更パケットを送信する接続変更パケット送信手段を
更に備えることを特徴とする請求項２に記載の情報配信システム。
【請求項６】
無線端末と、前記無線端末に一定周期で同報パケットを送信するアクセスポイントとを備える無線パケット通信システムにおける情報配信方法であって、
前記アクセスポイントが、前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理ステップと、
前記アクセスポイントが、前記ＳＳＩＤ送信情報管理ステップにおいて、前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成ステップと、
前記アクセスポイントが、前記情報が格納された前記送信パケットを、前記無線端末に送信する送信パケット送信ステップと、
前記無線端末が、前記送信パケットを受信し、当該送信パケットに含まれる前記情報に基づいて、前記アクセスポイントに接続を要求する接続要求フレームを作成すると共に、前記アクセスポイントに当該接続要求フレームを送信する接続要求送信ステップと、
前記アクセスポイントが、前記接続要求送信ステップにおいて送信される前記接続要求フレームを受信する接続要求受信ステップと、
前記アクセスポイントが、受信した前記接続要求フレームから、格納されている端末側情報を取得し、取得した当該端末側情報に基づいて、当該無線端末に対して接続の許可を判別する接続応答判別ステップと、
前記アクセスポイントが、前記接続応答判別ステップにおいて前記無線端末に接続を許可する場合には、接続許可応答フレームを当該無線端末へ送信する接続許可応答フレーム送信ステップと、
を備えることを特徴とする情報配信方法。
【請求項７】
前記無線端末は、仮想ネットワーク識別子に対応可能な端末であって、
前記アクセスポイントは、前記ＳＳＩＤ送信情報管理ステップにおいて格納する前記情報が、前記送信パケットのネットワーク識別子であるか、又は当該ネットワーク識別子とは異なる前記仮想ネットワーク識別子であって、
前記無線端末は、前記接続要求送信ステップにおいて、前記ネットワーク識別子であるか、又は前記仮想ネットワーク識別子に基づいて、前記接続要求フレームを作成し、
前記アクセスポイントは、前記接続応答判別ステップにおいて取得する前記端末側情報が、前記ネットワーク識別子であるか、又は前記仮想ネットワーク識別子によって、前記無線端末に対して接続の許可を判別する
ことを特徴とする請求項６に記載の情報配信方法。
【請求項８】
前記接続応答判別ステップは、
前記端末側情報が、前記仮想ネットワーク識別子である場合には、前記無線端末に対する接続を不許可と判別し、当該仮想ネットワーク識別子である旨の情報を含む接続不許可パケットを送信する接続不許可パケット送信ステップを
更に備えることを特徴とする請求項７に記載の情報配信方法。
【請求項９】
前記接続応答判別ステップは、
前記端末側情報が、前記仮想ネットワーク識別子である場合には、正規の前記ネットワーク識別子のネットワークへのハンドオーバを要求する接続不許可と判別し、ハンドオーバ要求情報を含む接続不許可パケットを送信するハンドオーバ要求接続不許可パケット送信ステップを
更に備えることを特徴とする請求項７に記載の情報配信方法。
【請求項１０】
前記接続応答判別ステップは、
前記端末側情報が、前記仮想ネットワーク識別子である場合には、当該仮想ネットワーク識別子のネットワークへの一時的な接続を許可すると共に、前記接続許可パケットを送信する一時的接続許可パケット送信ステップと、
前記一時的な接続を許可する接続パケットを送信した後、正規の前記ネットワーク識別子のネットワークへのハンドオーバを要求する、ハンドオーバ要求情報を含む接続変更パケットを送信する接続変更パケット送信ステップを
更に備えることを特徴とする請求項７に記載の情報配信方法。
【請求項１１】
無線端末に一定周期で同報パケットを送信する情報配信装置において、
前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理手段と、
前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成手段と、
前記情報が格納された前記送信パケットを、前記無線端末に送信する送信パケット送信手段と、
前記無線端末から送信される接続要求フレームを受信する接続要求受信手段と、
受信した前記接続要求フレームから、格納されている端末側情報を取得し、取得した当該端末側情報に基づいて、当該無線端末に対して接続の許可を判別する接続応答判別手段と、
前記接続応答判別手段によって前記無線端末に接続を許可する場合には、接続許可応答フレームを当該無線端末へ送信する接続許可応答フレーム送信手段と、
を備えることを特徴とする情報配信装置。
【請求項１２】
前記ＳＳＩＤ送信情報管理手段において格納する前記情報が、前記送信パケットのネットワーク識別子であるか、又は当該ネットワーク識別子とは異なる仮想ネットワーク識別子であって、
前記接続応答判別手段において取得する前記端末側情報が、前記ネットワーク識別子であるか、又は前記仮想ネットワーク識別子によって、前記無線端末に対して接続の許可を判別する
ことを特徴とする請求項１１に記載の情報配信装置。
【請求項１３】
無線端末に一定周期で同報パケットを送信する情報配信装置における情報配信方法であって、
前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理ステップと、
前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成ステップと、
前記情報が格納された前記送信パケットを、前記無線端末に送信する送信パケット送信ステップと、
前記無線端末から送信される接続要求フレームを受信する接続要求受信ステップと、
受信した前記接続要求フレームから、格納されている端末側情報を取得し、取得した当該端末側情報に基づいて、当該無線端末に対して接続の許可を判別する接続応答判別ステップと、
前記接続応答判別ステップにおいて前記無線端末に接続を許可する場合には、接続許可応答フレームを当該無線端末へ送信する接続許可応答フレーム送信ステップと、
を備えることを特徴とする情報配信方法。
【請求項１４】
前記ＳＳＩＤ送信情報管理ステップにおいて格納する前記情報が、前記送信パケットのネットワーク識別子であるか、又は当該ネットワーク識別子とは異なる仮想ネットワーク識別子であって、
前記接続応答判別ステップにおいて取得する前記端末側情報が、前記ネットワーク識別子であるか、又は前記仮想ネットワーク識別子によって、前記無線端末に対して接続の許可を判別する
ことを特徴とする請求項１３に記載の情報配信方法。
【請求項１５】
無線端末に一定周期で同報パケットを送信する情報配信装置における情報配信プログラムであって、
前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理手順と、
前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成手順と、
前記情報が格納された前記送信パケットを、前記無線端末に送信する送信パケット送信手順と、
前記無線端末から送信される接続要求フレームを受信する接続要求受信手順と、
受信した前記接続要求フレームから、格納されている端末側情報を取得し、取得した当該端末側情報に基づいて、当該無線端末に対して接続の許可を判別する接続応答判別手順と、
前記接続応答判別手順によって前記無線端末に接続を許可する場合には、接続許可応答フレームを当該無線端末へ送信する接続許可応答フレーム送信手順と、
をコンピュータに実行させることを特徴とする情報配信プログラム。
【請求項１６】
前記ＳＳＩＤ送信情報管理手順において格納する前記情報が、前記送信パケットのネットワーク識別子であるか、又は当該ネットワーク識別子とは異なる仮想ネットワーク識別子であって、
前記接続応答判別手順において取得する前記端末側情報が、前記ネットワーク識別子であるか、又は前記仮想ネットワーク識別子によって、前記無線端末に対して接続の許可を判別する
ことをコンピュータに実行させることを特徴とする請求項１５に記載の情報配信プログラム。
【請求項１７】
請求項１１又は１２に記載の情報配信装置は、
前記情報に対して、言語コードでコード化し、前記ＳＳＩＤフィールドに格納可能に変換する言語コード変換格納手段を
更に備えることを特徴とする情報配信装置。
【請求項１８】
請求項１又は２に記載の無線端末は、
前記送信パケットに含まれる前記情報が、言語コードによってコード化されていると認識し、コード化された前記情報をデコードする言語コード復元手段を
更に備えることを特徴とする無線端末。
【発明の詳細な説明】
【技術分野】
【０００１】
本発明は、無線パケット通信システムにおける情報配信システム、情報配信方法、情報配信装置、情報配信装置における情報配信方法及び情報配信プログラムに関し、特に、無線ＬＡＮのビーコンフレーム内のＳＳＩＤフィールドを用いて同報を配信する情報配信システム、情報配信方法、情報配信装置、情報配信装置における情報配信方法及び情報配信プログラムに関する。
【背景技術】
【０００２】
従来、無線パケット通信システムとして、ＩＥＥＥ(Institute of Electrical and Electronics Engineers)８０２．１１で規定されている無線ＬＡＮ(Local Area Network)が知られている(非特許文献1)。
【０００３】
ここで、この無線ＬＡＮを構成する従来技術について、図１５に示す無線ＬＡＮシステムを参照しながら、代表的な構成について説明する。
【０００４】
図１５に示す無線ＬＡＮシステムは、アクセスポイント５０１と、アクセスポイント５０１Ａと、アクセスポイント５０１Ｂと、端末５０２Ａと、端末５０２Ｂとを備えている。
【０００５】
アクセスポイント５０１は、有線ＬＡＮに接続されており、有線ＬＡＮ側に接続されている図示しない端末と、無線ＬＡＮを用いて接続されている端末５０２Ａ及び５０２Ｂのブリッジの役割を果たしている。
【０００６】
この場合、１台のアクセスポイント５０１が管理する無線ＬＡＮの範囲は、ネットワーク識別子(以下、これをＳＳＩＤ(Service Set Identifier)という。)と呼ばれる論理的なＩＤ（identifier）を用いることによって、互いに区別される。
【０００７】
また、ＩＥＥＥ８０２．１１で規定されている無線ＬＡＮは、パケットに相当する情報の伝送単位のことをフレームと呼ぶ。
【０００８】
図１５に示すアクセスポイント５０１は、図１６に示すように、ビーコンと呼ばれるフレーム（以下、これをビーコンフレームという。）を、一定周期で端末５０２Ａ及び５０２Ｂに同報しており（ステップＳ１６１）、このビーコンフレームによって複数台の端末を管理している。
【０００９】
なお、図１５に示す端末５０２Ａ及び５０２Ｂは、２台に限定されるものではく、複数台あってもよく、また１台であってもよい。また、端末５０２Ａ又は５０２Ｂを特に限定する必要がない場合には、単に端末５０２と記載することとする。
【００１０】
ここで、図１５に示したアクセスポイント５０１が送信するビーコンフレームのフォーマットを図１７に示す。
【００１１】
図１７に示すビーコンフレームフォーマットは、ビーコンフレームのデータ部（６０６から６１１を指す。）を有しており、その中に上記ＳＳＩＤを格納するＳＳＩＤフィールド６０９を有している。
【００１２】
従って、アクセスポイント５０１は、ビーコンフレームを一定周期、端末５０２Ａ及び５０２Ｂに同報することによって、その無線ＬＡＮシステムのＳＳＩＤを知らせることができる。
【００１３】
また無線ＬＡＮの端末５０２は、アクセスポイント５０１が送信するビーコンフレームを受信することによって、無線ＬＡＮのネットワークの存在とそのＳＳＩＤを検知し、適切な接続処理を行う。
【００１４】
ＳＳＩＤは接続処理の目的で使用されるので、ビーコンフレーム内のフィールドの１つであるＳＳＩＤフィールド６０９は、ＭＡＣ層のフレームフォーマットの中にありながら、より上位の端末内のアプリケーションから利用可能な情報となっている。
【００１５】
具体的には例えば、ＳＳＩＤの異なる複数のアクセスポイントが存在するネットワークの場合には、ＳＳＩＤの異なる複数のビーコンフレームを端末５０２が受信する。
【００１６】
そして、受信したビーコンフレーム内のＳＳＩＤフィールド６０９からＳＳＩＤを抽出し、図１８に示すように、端末５０２の画面上に取得したＳＳＩＤ７０１から７０３を表示する。
【００１７】
そして、端末５０２がネットワークに接続するときは、まず、端末５０２を使用するユーザが、端末５０２に表示された複数のＳＳＩＤ７０１から７０３の中から、接続先のネットワークを選択するか、又は端末５０２内部の無線ＬＡＮ接続用ソフトウェアが、自動的に予め設定されたＳＳＩＤを、受信したビーコンフレームのＳＳＩＤ７０１から７０３の中から選択する。
【００１８】
次に、端末５０２は、接続すべきＳＳＩＤを含む接続要求フレームを、そのＳＳＩＤを送信したアクセスポイント５０１を宛先として送信する。
【００１９】
次に、アクセスポイント５０１は、図１９に示すように、端末５０２からのＳＳＩＤを含む接続要求（ステップＳ１８２（ＳＳＩＤ：Ｘ））に対し、ＳＳＩＤ：Ｘのネットワークによる接続許可（ステップＳ１８３）、又は接続不許可フレームで応答する。
【００２０】
端末５０２は、アクセスポイント５０１から接続許可フレームで応答を得た場合には（ステップＳ１８３）、その時点からアクセスポイント５０１を経由することにより、同じアクセスポイント５０１に接続する他の端末（図示せず）や、アクセスポイント５０１に接続されている有線ＬＡＮ側の端末と通信を行うことが可能となる（ステップＳ１８４、ステップＳ１８５）。
【００２１】
ここで、ＩＥＥＥ８０２．１１で規定されているビーコンフレーム内のＳＳＩＤフィールドの長さの最大値は、３２バイトであり、かつ、電波の届く範囲内において、ネットワークが異なる場合には、異なるＳＳＩＤを割り当てるように予め調整する必要があった。
【００２２】
また、従来の情報配信システムの一例が、特許文献１に記載されている。この特許文献１に記載された情報配信システムを、図２０に示す。
【００２３】
図２０に示すように、従来の情報配信システムでは、企業端末１０１と、イベント情報配信システム１０２と、無線ＬＡＮアクセスポイント１０３Ａ及び１０３Ｂ（無線ＬＡＮアクセスポイント１０３Ａと１０３Ｂとを特定しない場合には、単に無線ＬＡＮアクセスポイント１０３という。）と、イベント情報受信端末１０４Ａ及び１０４Ｂ（イベント情報受信端末１０４Ａと１０４Ｂとを特定しない場合には、単にイベント情報受信端末１０４という。）とを備えている。
【００２４】
また、この情報配信システムは、イベント情報配信システム１０２と、無線ＬＡＮアクセスポイント１０３及びイベント情報受信端末１０４とが、インターネット１０６を介して接続されている。
【００２５】
また、この情報配信システムでは、無線ＬＡＮアクセスポイント１０３Ａと、無線ＬＡＮアクセスポイント１０３Ｂと、イベント情報受信端末１０４Ａと、イベント情報受信端末１０４Ｂとから、ホットスポット１０５を構成している。
【００２６】
このような構成を備える従来の無線ＬＡＮを用いた特許文献１に記載の広告配信システムは、次のように動作する。
【００２７】
図２１に示すように、イベント情報配信システム１０２内のイベント情報配信サーバ１０２−２から配信される情報は、図２２に示す無線ＬＡＮアクセスポイント１０３のイベント情報受信部１０３−１によって受信され、電波ビーコン送信部１０３−２によって各種制御信号にイベント情報が付加された後、ビーコンフレームとして送信される。
【００２８】
そして、図２３に示すイベント情報受信端末１０４の電波ビーコン受信部１０４−１が、無線ＬＡＮアクセスポイント１０３から送信されたビーコンフレームを受信し、イベント情報表示部１０４−２が電波ビーコン受信部１０４−１からイベント情報を取り出し、イベント情報受信端末１０４の表示画面に出力する。
【００２９】
図２４は、無線ＬＡＮアクセスポイント１０３の電波ビーコン送信部１０３−２が、ビーコンフレームを送信し、そのビーコンフレームを複数のイベント情報受信端末１０４内の電波ビーコン受信部１０４−１（電波ビーコン受信部１０４Ａ−１から電波ビーコン受信部１０４Ｃ−１の全てを意味する。）が受信することによって、イベント情報が同報されていることを示している。
【００３０】
図２５は、図２２の無線ＬＡＮアクセスポイント１０３に、イベント情報配信サーバ１０２−２が接続されており、その中に蓄積されている配信コンテンツ１０２−２−１が、無線ＬＡＮアクセスポイント８０１内のイベント情報受信部１０３−１によって受信されると共に、電波ビーコン送信部１０３−２によって、イベント情報受信端末１０４へ送信されている状態を示している。
【００３１】
上記の情報配信システムによって、イベント情報受信端末１０４は、イベント情報配信サーバ１０２−２に直接、接続されていなくても、無線ＬＡＮアクセスポイント１０３を介して、イベント情報配信サーバ１０２−２が有する配信コンテンツ１０２−２−１の配信を実現している。
【特許文献１】特開２００６−２４５９０６号公報
【非特許文献１】‘Wireless ＬＡＮ Medium Access Control (MAC) and Physical Layer (PHY) specifications’,IEEE std 802.11,1999
【発明の開示】
【発明が解決しようとする課題】
【００３２】
しかしながら、特許文献１に記載された情報配信システムでは、無線ＬＡＮの規格のビーコンフレームフォーマットに、制御・管理用以外の情報を入れてイベント情報受信端末に送信する仕組みが存在しないので、ビーコンフレームに制御・管理用以外の情報を入れた場合には、イベント情報受信端末も制御・管理用以外の情報の送受信前に予めその情報の挿入について既知である必要があった。
【００３３】
従って、非特許文献１のフィールドを用いた特許文献１に記載の情報配信システムでは、既存のフレームフォーマットや端末機能を変更せずに制御・管理用以外の情報を、端末へ配信する仕組みが存在しないので、既存のフレームフォーマットや端末機能を変更しなくてはならないという問題があった。
【００３４】
本発明は、上記問題点に鑑みてなされたものであり、既存の端末を変更することなく、ＳＳＩＤフィールドを用いて情報を配信する仕組みを提供する情報配信システム、情報配信方法、情報配信装置、情報配信装置における情報配信方法及び情報配信プログラムを実現することを目的とする。
【課題を解決するための手段】
【００３５】
本発明に係る情報配信システムは、無線端末と、前記無線端末に一定周期で同報パケットを送信するアクセスポイントとを備える無線パケット通信システムにおける情報配信システムであって、前記アクセスポイントは、前記同報パケットと同一形式の送信パケットを生成し、当該送信パケットのネットワーク識別子を格納するＳＳＩＤフィールドに、情報を格納すると共に、当該情報を管理するＳＳＩＤ送信情報管理手段と、前記ＳＳＩＤ送信情報管理手段によって、前記情報のフィールド長が前記ＳＳＩＤフィールドより大きい場合には、当該情報を分割し、分割された各情報を前記ＳＳＩＤフィールドに各々格納すると共に、複数の送信パケットを生成する情報分割パケット生成手段と、前記情報が格納された前記送信パケットを、前記無線端末に送信する送信パケット送信手段と、前記無線端末の接続要求送信手段によって送信される接続要求フレームを受信する接続要求受信手段と、受信した前記接続要求フレームから、格納されている端末側情報を取得し、取得した当該端末側情報に基づいて、当該無線端末に対して接続の許可を判別する接続応答判別手段と、前記接続応答判別手段によって前記無線端末に接続を許可する場合には、接続許可応答フレームを当該無線端末へ送信する接続許可応答フレーム送信手段と、を備え、前記無線端末は、前記送信パケットを受信し、当該送信パケットに含まれる前記情報に基づいて、前記アクセスポイントに接続を要求する前記接続要求フレームを作成すると共に、当該アクセスポイントに前記接続要求フレームを送信する接続要求送信手段、を備えることを特徴とする。
【００３６】
また本発明に係る情報配信システムは、前記無線端末が、仮想ネットワーク識別子に対応可能な端末であって、前記接続要求送信手段において、前記ネットワーク識別子であるか、又は前記仮想ネットワーク識別子に基づいて、前記接続要求フレームを作成し、前記アクセスポイントは、前記ＳＳＩＤ送信情報管理手段において格納する前記情報が、前記送信パケットのネットワーク識別子であるか、又は当該ネットワーク識別子とは異なる前記仮想ネットワーク識別子であって、前記接続応答判別手段において取得する前記端末側情報が、前記ネットワーク識別子であるか、又は前記仮想ネットワーク識別子によって、前記無線端末に対して接続の許可を判別するようにしてもよい。
【００３７】
また本発明に係る情報配信システムは、前記接続応答判別手段が、前記端末側情報が前記仮想ネットワーク識別子である場合には、前記無線端末に対する接続を不許可と判別し、当該仮想ネットワーク識別子である旨の情報を含む接続不許可パケットを送信する接続不許可パケット送信手段を更に備えるようにしてもよい。
【００３８】
また本発明に係る情報配信システムは、前記接続応答判別手段が、前記端末側情報が前記仮想ネットワーク識別子である場合には、正規の前記ネットワーク識別子のネットワークへのハンドオーバを要求する接続不許可と判別し、前記無線端末へハンドオーバ要求情報を含む接続不許可パケットを送信するハンドオーバ要求接続不許可パケット送信手段を更に備えるようにしてもよい。
【００３９】
また本発明に係る情報配信システムは、前記接続応答判別手段が、前記端末側情報が前記仮想ネットワーク識別子である場合には、当該仮想ネットワーク識別子のネットワークへの一時的な接続を許可すると共に、前記接続許可パケットを送信する一時的接続許可パケット送信手段と、前記一時的な接続を許可する接続パケットを送信した後、正規の前記ネットワーク識別子のネットワークへのハンドオーバを要求する、ハンドオーバ要求情報を含む接続変更パケットを送信する接続変更パケット送信手段を更に備えるようにしてもよい。
【発明の効果】
【００４０】
本発明によれば、ＳＳＩＤフィールドの内容のみを変更することによって情報の同報を実現しているので、既存の無線ＬＡＮの端末を変更することなく、アクセスポイントのみを変更するだけで、情報の同報を実現することができる。
【００４１】
また、送付すべき情報を任意の長さに分割し、複数のビーコンに入れて送信した場合には、その本来用いられるべき正規のＳＳＩＤ以外のビーコンフレームに対する接続要求に対し、接続応答判別手段によって適切な接続処理を行うことができるので、規格上長さが固定されているビーコンフレームのＳＳＩＤフィールドを用いて、規格値を超える任意の長さの情報を送信することができる。
【００４２】
かくして、既存の端末を変更することなく、ＳＳＩＤフィールドを用いて情報を配信する仕組みを提供する情報配信システム、情報配信方法、情報配信装置、情報配信装置の情報配信方法及び情報配信プログラムを実現できる。
【発明を実施するための最良の形態】
【００４３】
次に、本発明の実施の形態の構成について図面を参照して詳細に説明する。
（１）第１の実施の形態による情報配信システム
（１−１）情報配信システムの構成
図１は、本発明に係る第１の実施の形態による情報配信システムの構成を示す模式図である。
【００４４】
図１に示す情報配信システムは、アクセスポイント８０１と、端末８０２と、端末８０３と、端末８０４とを備えている。
【００４５】
また図１に示す情報配信システムの模式図では、最も単純な構成であるアクセスポイント８０１が１つの場合であって、そのアクセスポイント８０１が複数の同報フレームを送信する場合を示したものである。
【００４６】
図１に示す情報配信システムは、システムの形態としては背景技術の非特許文献１と同様であり、アクセスポイント８０１が有線ＬＡＮに接続されており、その配下に複数の端末８０２から８０４が存在する。
【００４７】
アクセスポイント８０１の配下の端末８０２から８０４は、必ずしもアクセスポイント８０１に接続されて通信可能状態になっている必要はなく、アクセスポイント８０１からの電波が到達できる距離であってビーコンを受信できる範囲内に配置されればよい。
【００４８】
また、必ずしもアクセスポイント８０１が必要なわけではなく、ＩＥＥＥ８０２．１１無線ＬＡＮの規格のＩＢＳＳ（Independent Basic Service Set）等のアドホックなネットワークで、ビーコンを交互に送信し合う場合も本発明による実施が適用可能である。
【００４９】
ところで、先に示した図１７は、アクセスポイント８０１が端末へ向けてブロードキャストするビーコンフレームのフォーマットであり、その中のＳＳＩＤフィールドの例を示したものである。
【００５０】
アクセスポイント８０１は、外部から設定されるＳＳＩＤを、ビーコン内のＳＳＩＤフィールド６０９（図１７）に含めてアクセスポイント８０１の周囲に同報する。
【００５１】
なお、ここでは、非特許文献１のフォーマットを改変しないで用いることにする。
【００５２】
また、もし規格上の長さの上限である３２Ｂｙｔｅより長い情報がＳＳＩＤとして設定された場合には、その情報を元のＳＳＩＤフィールドの最大長以下の複数の情報に分割し、ＳＳＩＤフィールド６０９に設定する。
【００５３】
この場合、例えば、分割後の長さを全く同一にしてもよいし、情報で使用されている言語の文法上、より分割しやすい分割方法でもよい。
【００５４】
なお、この分割方法については、後述することにする。
【００５５】
次に、図２は、本実施の形態に対応したアクセスポイント８０１の電波の到達範囲にある端末８０４（端末８０２から８０４のうち何れでもよく、何れの端末も同様に動作する。）が、アクセスポイント８０１からＳＳＩＤに同報情報を含むビーコンフレームを受信した場合に、その端末８０４に表示される端末画面の画面表示例を示したものである。
【００５６】
この端末画面の画面表示例では、アクセスポイント８０１が送るべき情報（Ａ＋Ｂ＋Ｃ）が、ビーコンフレームのＳＳＩＤフィールドの最大長に入らない場合に、アクセスポイント８０１において、図２に示すようにその送るべき情報を「Ａ」と、「Ｂ」と、「Ｃ」とに分割し、ビーコン内のＳＳＩＤフィールドに格納する。
【００５７】
また、分割された１つのＳＳＩＤを実際にネットワークで用いる正規のＳＳＩＤとし、それ以外のＳＳＩＤを仮想ネットワーク識別子(仮想ＳＳＩＤ)と呼び、正規ＳＳＩＤと仮想ＳＳＩＤとをそれぞれビーコンフレーム格納して、連続して送信する。
【００５８】
なお、図２では、送信すべき情報はＡ＋Ｂ＋Ｃであり、それをＳＳＩＤ：Ａ１２０２と、ＳＳＩＤ：Ｂ１２０３と、ＳＳＩＤ：Ｃ１２０４とに３分割し、それぞれ別のビーコンフレームのＳＳＩＤフィールドに格納し、連続して送信する。
【００５９】
また、受信側の端末８０４では、それぞれ別のＳＳＩＤとして一覧表示されるので、端末８０４を使用するユーザには、アクセスポイント８０１に格納されている情報がすべて表示されることになる。
【００６０】
また、ビーコンフレームを受信した端末８０４は、連続して受信したビーコンフレーム順に端末８０４の画面上に表示するようになっているが、必ずしも受信した順でなくてもよい。
【００６１】
また、受信側の端末８０４は、形状や端末の形態に限定されるものではないので、端末８０２から８０４の何れの端末であっても、同様に端末画面に表示される。
【００６２】
次に、端末８０４の構成について図３及び図４を用いて説明する。
【００６３】
なお、この端末８０４は、端末８０２から８０４のうち、何れの端末も同様な構成を備えているので、例示として端末８０４を用いて説明する。
【００６４】
図３を参照すると、端末８０４は、通信装置９０１であって、アンテナを備えた物理層９０４と、ＭＡＣ（media access control）層９０３と、アプリケーション９０２とを備えている。
【００６５】
図４を参照すると、端末８０４は、フレーム解析部１００４が、物理層９０４で受信したフレームの種類を判別し、ビーコンフレームを受信した場合には、ビーコンフレーム内のデータをＳＳＩＤフィールド抽出部１００３へ渡す。
【００６６】
ＳＳＩＤフィールド抽出部１００３は、フレーム解析部１００４から受信したビーコンフレームのデータからＳＳＩＤフィールドを抽出し、アプリケーション９０２が有するＳＳＩＤデータ処理部１００２に渡す。
【００６７】
ＳＳＩＤデータ処理部１００２は、受信時には、ＳＳＩＤフィールド抽出部１００３から渡されたＳＳＩＤデータをＳＳＩＤ表示部１００１に渡す。
【００６８】
もし仮に、規格上は通常用いられない言語が格納されていた場合には、元の言語にデコードした上で、表示してもよい。
【００６９】
具体的には例えば、ＳＪＩＳコードでエンコードされている日本語をデコードして表示するようにしても良い。
【００７０】
またＳＳＩＤ処理部１００２は、送信時には、ＳＳＩＤ表示部１００１からＳＳＩＤ情報をＳＳＩＤデータ処理部１００２のメモリ等に格納して、接続処理部１００５に渡す。
【００７１】
もし、ＳＳＩＤが規格上は通常用いられない言語で構成されている場合には、適切な文字コード等を用いてエンコードを行ってもよい。
【００７２】
具体的には例えば、送信すべきデータがアスキーコードの場合には、何も処理せずに接続処理部に渡し、送信すべきデータが日本語等のアスキーコード以外のデータの場合には、ＳＪＩＳコードやＥＵＣコード等の日本語コードや、ＵＴＦ−８等の多言語コードを用いるようにしても良い。
【００７３】
端末８０４は、ＳＳＩＤ表示部１００１及びＳＳＩＤデータ処理部１００２から得たＳＳＩＤ情報を端末８０４の画面上に表示する。しかし、必ずしも端末８０４の画面上に表示する必要はなく、他の例としては例えば、音声等で読み上げてもよいし、別の端末にＳＳＩＤ情報を送信し、別の画面上で表示するようにしても良い。
【００７４】
更に、端末８０４を使用するユーザが選択したＳＳＩＤ情報を、ＳＳＩＤデータ処理部１００２に渡す。
【００７５】
接続処理部１００５は、ＳＳＩＤデータ処理部１００２から接続先ＳＳＩＤ情報を取得し、接続要求パケット内のＳＳＩＤフィールドに入れて接続要求フレームを生成し、物理層９０４に渡す。
【００７６】
次に、アクセスポイント８０１の構成について図５を用いて示す。
【００７７】
フレーム解析部１１０２は、物理層９０４０で受信したフレームを、標準のフレームフォーマットを基に解析を行うことによりフレームタイプを認識し、フレームタイプ毎処理振り分け部１１０１に渡す。
【００７８】
フレームタイプ毎処理振り分け部１１０１は、フレーム解析部１１０２で判別されたフレームタイプ毎に個々の処理を振り分ける。このうち接続要求フレームに関しては、接続処理部１１０３にデータを渡す。
【００７９】
接続処理部１１０３では、フレームタイプ毎処理振り分け部１１０１で振り分けられたデータに関して、まず接続要求フレーム内のＳＳＩＤフィールドを抽出し、仮想ＳＳＩＤ処理部１１０４に渡す。
【００８０】
ここで、もし正規のＳＳＩＤであると判断された場合には、接続要求を送信した端末８０４に対して接続許可フレームで応答する。
【００８１】
一方、もし正規のＳＳＩＤではないＳＳＩＤであると認識された場合であって、かつ仮想ＳＳＩＤであると認識された場合には、応答を返さない。
【００８２】
または、接続要求を送信した端末８０４が仮想ＳＳＩＤに対応した端末である場合には、仮想ＳＳＩＤである旨の理由を含めた接続不許可フレームを送信する。
【００８３】
または、接続要求を送信した端末８０４が仮想ＳＳＩＤに対応した端末である場合には、仮想ＳＳＩＤである旨と、正規のＳＳＩＤを含めた接続不許可フレーム、またはハンドオーバ要求フレームを送信する。
【００８４】
または、仮想ＳＳＩＤに対しても正常に接続許可を応答し、その代わりに仮想ＳＳＩＤを含むビーコンフレームのＳＳＩＤフィールド以外のフィールドは、タイムスタンプ以外に正規の値を入れる。
【００８５】
これに対し、もし正規のＳＳＩＤではない場合であって、かつ仮想ＳＳＩＤでもないＳＳＩＤであると認識された場合には、接続不許可フレームを送信する。
【００８６】
ここで、ハンドオーバ要求フレームにおけるハンドオーバとは、携帯電話やＰＨＳ（personal handy phone system）の端末が、接続される基地局やアクセスポイントのネットワークを切り替えることをいい、ハンドオーバ要求フレームとは、そのネットワークの切替要求を行うフレームを送信することをいう。
【００８７】
ＳＳＩＤ送信情報管理部１１０７は、ビーコンフレームのＳＳＩＤフィールドの中に含めてするべき情報を管理し、ビーコンフレーム生成部１１０６に渡す。
【００８８】
ビーコンフレーム生成部１１０６は、ＳＳＩＤ送信情報管理部１１０７から渡されたＳＳＩＤ情報を、ビーコンフレーム内のＳＳＩＤフィールドに含めてビーコンフレームを送信する。
【００８９】
このとき、送信すべき情報が、ＳＳＩＤフィールドの規格上の長さの最大値を超えていた場合には、その送付すべきＳＳＩＤ情報は、仮想ＳＳＩＤ処理部１１０４に渡される。
【００９０】
仮想ＳＳＩＤ処理部１１０４は、送信すべき情報がビーコンフレーム内のＳＳＩＤフィールドの最大値に入るようにＳＳＩＤ情報を分割し、分割された個々の情報をビーコンフレームのＳＳＩＤフィールドに入れて送信する。
【００９１】
この場合の送付すべき情報について、図６に示す。
【００９２】
図６に示された送付すべき情報１２０１は、Ａ１２０２と、Ｂ１２０３と、Ｃ１２０４との３つに分割され、それぞれ、ＳＳＩＤ：Ａ、ＳＳＩＤ：Ｂ（仮想ＳＳＩＤ）、ＳＳＩＤ：Ｃ（仮想ＳＳＩＤ）として送信される。
【００９３】
このとき、分割された情報は、規定のビーコン送信タイミングで連続して送信されることが望ましいが、必ずしも連続して送信する必要はなく、各ビーコン送信タイミングで独立に送信されるようにしても良い。
【００９４】
また、必ずしも仮想ＳＳＩＤ処理部１１０４によって分割された送付すべき情報は、ビーコンフレームのような同報フレームでなくてもよく、ある単一の宛先、またはマルチキャストフレームに含めるようにしても良い。
（１−２）情報配信システムにおける端末の全体動作
次に、図７のフローチャートを参照しながら、第１の実施の形態における情報配信システムの端末８０２の全体動作について詳細に説明する。
【００９５】
なお、図２において、端末８０４を例示していたので、構成については端末８０４を用いて説明したが、動作については端末８０２を用いて説明する。
【００９６】
まず図７には、本発明の第１の実施の形態における情報配信システムを構成する端末８０２の動作であるビーコン受信、及びビーコン受信に基づいた接続要求フレームの生成・送信に関する動作を示したフローチャートである。
【００９７】
なお、端末８０３及び端末８０４は、端末８０２の動作と同様であるので、何れの端末を用いても良く、同一の動作なので説明を省略する。
【００９８】
図７におけるフローチャートの開始を示すステップＳ１は、端末８０２の物理層９０４が、図１で示した無線ＬＡＮシステムを用いた情報配信システムにおいて、アクセスポイント８０１からのフレームを受信できる状態になった時点を示す。
【００９９】
ステップＳ１の後、まず、端末８０２が動的にアクセスポイント８０１を探索するか否かを判断する（ステップＳ１５）。
【０１００】
ここで、動的にアクセスポイント８０１を探索する場合には、ステップＳ１６へ進み、アクセスポイント探索フレームを生成し、送信する。
【０１０１】
そして、周辺のアクセスポイント８０１からの探索フレームに対する探索応答フレームを受信する(ステップＳ１７)。
【０１０２】
ここで、ステップＳ１７において受信した探索応答フレームは、ビーコンフレームと同じ形式であるので、ビーコンフレームと同様に、探索応答フレームのＳＳＩＤフィールドからＳＳＩＤデータを抽出し（ステップＳ４）、端末８０２の画面上にＳＳＩＤ情報を表示することができる（ステップＳ５）。
【０１０３】
一方、ステップＳ１の後、端末８０２が動的にアクセスポイント８０１を探索しない場合には、ステップＳ２へ進み、端末８０２は、周辺のアクセスポイントが送信するビーコンフレームを受信し（ステップＳ２）、ビーコン受信時間がタイムアウトになるか否かを検査する（ステップＳ３）。
【０１０４】
そして、ビーコン受信時間がタイムアウトした場合には、ステップＳ４へ進み、受信したビーコンフレームのＳＳＩＤフィールドからＳＳＩＤデータを抽出し、アプリケーションが端末８０２の画面上にＳＳＩＤ情報を表示する（ステップＳ５）。
【０１０５】
一方、ステップ３においてビーコン受信時間がタイムアウトにならない場合には、ステップ２に戻り、ビーコンフレームを受信する。
【０１０６】
端末８０２の画面表示されたＳＳＩＤ情報の中から、ユーザがＳＳＩＤ情報を選択、または内部的にすでに設定された条件に従って自動的に選択され（ステップＳ６）、端末８０２は接続要求フレームを生成し、それをアクセスポイント８０１へ送信する（ステップＳ７）。
【０１０７】
もし画面上に表示されたＳＳＩＤの一覧からＳＳＩＤの選択が行われない場合は、ステップＳ６に帰還し、ＳＳＩＤの選択が行われるまで待機する。
【０１０８】
アクセスポイント８０１は、ステップＳ６において選択されたＳＳＩＤを基に生成された接続要求フレームを受信すると、接続許可する場合には接続許可フレームを生成し、端末８０２へ送信する。
【０１０９】
ここで、端末８０２は、接続要求フレームに対する接続許可フレームを待ち受けており、アクセスポイント８０１から接続許可フレームを受信するか否か検査する（ステップＳ８）。
【０１１０】
すなわち、端末８０２は、接続要求フレームの送信の結果、アクセスポイント８０１から接続許可フレームを受信した場合には、接続が完了し、そのアクセスポイント８０１とデータフレームとの送受信が開始される（ステップＳ９）。
【０１１１】
一方、端末８０２は、アクセスポイント８０１から接続許可フレームを受信しない場合には、ステップＳ１０に進み、保持しているＳＳＩＤのリスト中に同じＢＳＳＩＤ（basic service set identification：通常のアクセスポイントのＭＡＣアドレスが入る）又は送信者アドレスのＳＳＩＤがある場合には、そのＳＳＩＤを含む接続要求フレームを生成し、送信する（ステップＳ１０）。
【０１１２】
この場合、端末８０２は、再度送信した接続要求フレームに対する接続許可フレームを待ち受けており、再び、接続許可フレームを受信するか否か検査する（ステップＳ１１）。
【０１１３】
そして、端末８０２は、接続要求フレームの再送信の結果、接続許可フレームを受信した場合には、ステップ９へ進み、接続が完了する。
【０１１４】
一方、端末８０２は、接続要求フレームの再送信の結果、接続許可フレームを受信しなかった場合、又は接続不許可フレームを受信した場合には、ステップＳ１２へ進み、まだ端末８０２内に保持しているＳＳＩＤのリスト中に、再送信した接続要求フレームと同じＢＳＳＩＤ又は送信者アドレスを含むＳＳＩＤがあるかどうかを検査する。
【０１１５】
ここで、もし、再送信した接続要求フレームと同じＢＳＳＩＤ又は送信者アドレスを含むＳＳＩＤがある場合には、ステップＳＳ１０に戻り同一の処理を繰り返す。
【０１１６】
これに対し、再送信した接続要求フレームと同じＢＳＳＩＤ又は送信者アドレスを含むＳＳＩＤに該当するＳＳＩＤが存在しない場合は、接続失敗として処理される（ステップＳ１３）。
（１−３）情報配信システムにおけるアクセスポイントのビーコン送信動作
次に、アクセスポイント８０１におけるビーコン送信動作に関して、図８のフローチャートを参照しながら説明する。
【０１１７】
図８において、フローチャートの開始を示すステップＳ２１は、まだＳＳＩＤ送信情報管理部１１０７（図５）に、ビーコンフレーム内のＳＳＩＤフィールドに送信すべき情報が設定されていない時点であることを示す。
【０１１８】
そして、アクセスポイント８０１は、送信すべき情報をＳＳＩＤ送信情報管理部１１０７に格納すると（ステップＳ２２）、ビーコンフレーム生成部１１０６が、ビーコンフレームのＳＳＩＤフィールドに格納できる情報か否かを判断する（ステップＳ２３）。
【０１１９】
ここで、ビーコンフレームのＳＳＩＤフィールドに、送信すべき情報が格納可能な長さである場合には、ステップＳ２６へ進み、ＳＳＩＤフィールドに送信すべき情報を入れて送信する。
【０１２０】
一方、送信すべき情報が、ビーコンフレームのＳＳＩＤフィールドに格納可能な大きさより大きい場合には、仮想ＳＳＩＤ処理部１１０４が送信すべき情報をＳＳＩＤフィールドに格納可能な長さに分割する（ステップＳ２４）。
【０１２１】
そして、各分割された送信すべき情報を、異なるビーコンフレームのＳＳＩＤフィールドに入れて送信する（ステップＳ２５）。
（１−４）情報配信システムにおける端末からの帰属要求フレームに対する応答動作
次に、アクセスポイント８０１において、端末８０２からの帰属要求フレームに対する応答動作に関し、図９を参照しながら説明する。
【０１２２】
図９において、フローチャートの開始を示すステップＳ４１は、既に送信すべき情報がＳＳＩＤ送信情報格納部１１０７に設定されており、送信すべき情報をＳＳＩＤフィールドに含めてビーコンフレームを送信しており、端末８０２からの接続要求フレームの受信を待機している状態を示している。
【０１２３】
まず、アクセスポイント８０１が送信したビーコンフレーム、又は端末８０２からのアクセスポイント探索フレームに対する応答フレームに基づいて、端末８０２が送信する接続要求フレームをアクセスポイント８０１が受信すると（ステップＳ４２）、接続要求フレーム内のＳＳＩＤフィールド内の情報を抽出する（ステップＳ４３）。
【０１２４】
抽出したＳＳＩＤが、アクセスポイント８０１自身が生成し、送信したＳＳＩＤか否かを検査し（ステップＳ４８）、アクセスポイント８０１が生成したＳＳＩＤのうち、正規のＳＳＩＤの場合には、ステップＳ４９へ進み、接続許可フレームを端末８０２に送信する。
【０１２５】
一方、ＳＳＩＤが正規のＳＳＩＤでは無い場合には、ステップＳ４４へ進み、アクセスポイント８０１の仮想ＳＳＩＤ処理部１１０４が生成した仮想ＳＳＩＤか否かを検査する。
【０１２６】
このステップＳ４４において、アクセスポイント８０１の仮想ＳＳＩＤ処理部１１０４が生成した仮想ＳＳＩＤで無い場合には、接続不許可フレームを端末に送信する（ステップＳ４６）。
【０１２７】
一方、アクセスポイント８０１の仮想ＳＳＩＤ処理部１１０４が生成した仮想ＳＳＩＤの場合には、その接続要求に対して応答しないか、又は仮想ＳＳＩＤに対応している端末８０２に対して、仮想ＳＳＩＤであるために接続不許可である理由コードを含めた接続不許可フレームを端末８０２に対して応答する（ステップＳ４５）。
（１−５）情報配信システムによるアクセスポイントと端末間の動作
次に、図１０のシーケンス図を参照して、本実施の形態におけるアクセスポイント８０１と端末８０２間のフレームの応答を示している。
【０１２８】
まず始めに、ステップＳ８１、ステップＳ８２、ステップＳ８３では、アクセスポイント８０１が、端末８０２に向けてビーコンフレームを送信する。
【０１２９】
この３つのビーコンの各ＳＳＩＤフィールドには、アクセスポイント８０１が端末８０２に向けて送信すべきデータが格納されている。
【０１３０】
なお、一般的には、送信すべき情報を分割したＳＳＩＤの順番でビーコンフレームが連続して送信されるが、必ずしもそのように送信する必要はない。
【０１３１】
次に、ステップＳ８４では、端末８０２が、ＳＳＩＤ：Ｃのビーコンフレームから接続要求フレームを生成し、その接続要求フレームをアクスポイント８０１に送信する。
【０１３２】
ステップＳ８５では、ＳＳＩＤ：Ｃが、アクセスポイント８０１によって仮想ＳＳＩＤとして管理されており、端末８０２からの接続要求に対して応答フレームを送信しない。
【０１３３】
このため端末８０２側では、タイムアウト処理が行われ、ＳＳＩＤ：Ｃには接続不可であることを認識する。
【０１３４】
ステップＳ８６では、ＳＳＩＤ：Ｃと同様に、端末８０２が、アクセスポイント８０１によってＳＳＩＤ：Ｂの格納されたビーコンフレームから接続要求フレームを生成し、その接続要求フレームをアクセスポイント８０１に送信する。
【０１３５】
このフレームも、ステップＳ８５と同様に、アクセスポイント８０１によって仮想ＳＳＩＤとして管理されているので、アクセスポイント８０１は端末８０２に対して応答を返さない（ステップＳ８７）。
【０１３６】
これにより、端末８０２側では、タイムアウト処理が行われ、ＳＳＩＤ：Ｂには接続不可であることを認識する。
【０１３７】
ステップＳ８８では、端末８０２が、アクセスポイント８０１からの残りのＳＳＩＤ：Ａの格納されたビーコンフレームから接続要求フレームを生成し、その接続要求フレームをアクセスポイント８０１に送信する。
【０１３８】
この場合、アクセスポイント８０１では、ＳＳＩＤ：Ａがアクセスポイント８０１によって正規のＳＳＩＤとして管理されているので、アクセスポイント８０１は、端末８０２に対して接続許可応答を返す。
（１−６）第１の実施の形態における情報配信システムの効果
本実施の形態によれば、アクセスポイント８０１が端末８０２に送信する情報に対し、管理するＳＳＩＤの種別が異なっているので、そのＳＳＩＤの種別により、端末８０２の送信する接続要求が正規のＳＳＩＤであれば接続が許可され、正規のＳＳＩＤではなく仮想ＳＳＩＤである場合には接続が許可されない。
【０１３９】
これにより、アクセスポイント８０１は、端末８０２からの仮想ＳＳＩＤを含む接続要求に対して応答フレームを送信しないことにより、正規のＳＳＩＤの場合のみ端末８０２を正規のＳＳＩＤのネットワークに接続させることができる。
（２）第２の実施の形態による情報配信システム
（２−１）情報配信システムによるアクセスポイントと端末間の動作
次に、第２の実施の形態による情報配信システムについて、図面を参照しながら詳細に説明する。
【０１４０】
図１１のシーケンス図では、第２の実施の形態による情報配信システムのアクセスポイント８０１と端末８０２間のフレームの応答を示す。
【０１４１】
なお、この第２の実施の形態では、端末８０２は、仮想ＳＳＩＤに対応している端末であるものとする。
【０１４２】
まず始めに、ステップＳ１０１、ステップＳ１０２、ステップＳ１０３では、アクセスポイント８０１が、端末８０２に向けてビーコンフレームを送信する。
【０１４３】
この３つのビーコンの各ＳＳＩＤフィールドには、アクセスポイント８０１が端末８０２に向けて送信すべきデータが格納されている。
【０１４４】
ステップＳ１０４では、端末８０２が、ＳＳＩＤ：Ｃのビーコンフレームから接続要求フレームを生成し、その接続要求フレームをアクセスポイント８０１に送信する。
【０１４５】
ステップＳ１０５では、ＳＳＩＤ：Ｃが、アクセスポイント８０１によって仮想ＳＳＩＤとして管理されているので、アクセスポイント８０１は、端末８０２からの接続要求に対し、仮想ＳＳＩＤである旨の理由を含む接続不許可応答を送信する。
【０１４６】
ここで、アクセスポイント８０１が、仮想ＳＳＩＤである旨の理由を含む接続不許可応答フレームを端末８０２に返すことにより、仮想ＳＳＩＤに対応している端末８０２は、別のＳＳＩＤによる接続を自動的に試みる（ステップＳ１０６）。
【０１４７】
これは、必ずしも仮想ＳＳＩＤである旨を含む必要はなく、端末８０２で自動的に別のＳＳＩＤによる接続を試みるような理由が含まれていればよい。
【０１４８】
この場合、第１の実施の形態と異なり、アクセスポイント８０１と端末８０２間のシーケンスにタイムアウト処理がないので、より高速な再接続処理が行われることが期待できる。
【０１４９】
また、ステップＳ１０６及びステップＳ０１７では、第１の実施の形態と同様に、仮想ＳＳＩＤによる接続要求に対して、アクセスポイント８０１が端末８０２に送信する仮想ＳＳＩＤである旨の理由を含む接続不許可応答フレームを送信する。
【０１５０】
ステップＳ１０８では、端末８０２が、アクセスポイント８０１からの残りのＳＳＩＤ：Ａの格納されたビーコンフレームから接続要求フレームを生成し、その接続要求フレームをアクセスポイント８０１に送信する。
【０１５１】
この場合、アクセスポイント８０１では、ＳＳＩＤ：Ａがアクセスポイント８０１において正規のＳＳＩＤとして管理されている。
【０１５２】
従って、アクセスポイント８０１は、端末８０２に対して接続許可応答を返す。
（２−２）第２の実施の形態における情報配信システムの効果
第２の実施の形態によれば、アクセスポイント８０１は、端末８０２からの仮想ＳＳＩＤを含む接続要求に対して、仮想ＳＳＩＤである旨の理由を含む接続不許可応答フレームを端末８０２に送信することにより、端末８０２に対して正規のＳＳＩＤの接続要求を、アクセスポイント８０１に送信させることができる。
【０１５３】
これにより、アクセスポイント８０１は、端末８０２と正規のＳＳＩＤにて接続許可することができる。
（３）第３の実施の形態による情報配信システム
（３−１）情報配信システムによるアクセスポイントと端末間の動作
次に、第３の実施の形態による情報配信システムについて、図面を参照しながら詳細に説明する。
【０１５４】
図１２のシーケンス図では、第３の実施の形態による情報配信システムのアクセスポイント８０１と端末８０２間のフレームの応答を示す。
【０１５５】
まず始めに、ステップＳ１２１、ステップＳ１２２、ステップＳ１２３では、アクセスポイント８０１が、端末８０２に向けてビーコンフレームを送信する。
【０１５６】
この３つのビーコンの各ＳＳＩＤフィールドには、アクセスポイント８０１が端末８０２に向けて送信すべきデータが格納されている。
【０１５７】
ステップＳ１２４では、端末８０２が、ＳＳＩＤ：Ｃのビーコンフレームから接続要求フレームを生成し、その接続要求フレームをアクセスポイント８０１に送信する。
【０１５８】
ステップＳ１２５では、アクセスポイント８０１は、端末８０２からの接続要求フレームＳ１２４に対して、別のＳＳＩＤ（正規のＳＳＩＤ、ＳＳＩＤ：Ａ）へのハンドオーバ要求を行うと共に、アクセスポイント８０１から端末８０２に接続不許可フレームを送信する。
【０１５９】
ステップＳ１２６では、端末８０２が、アクセスポイント８０１からのハンドオーバ要求（ステップＳ１２５）に対して、その中に含まれて提案されているハンドオーバ先ＳＳＩＤ：Ａを含む接続要求フレームをアクセスポイント８０１へ送信する。
【０１６０】
ステップＳ１２７では、アクセスポイント８０１は、端末８０２からの正規のＳＳＩＤによる接続要求（ステップＳ１２６）に対して、接続許可応答フレームを端末８０２へ送信する。
（３−２）第３の実施の形態における情報配信システムの効果
第３の実施の形態によれば、アクセスポイント８０１は、端末８０２からの仮想ＳＳＩＤを含む接続要求に対し、ハンドオーバ先のＳＳＩＤとして正規のＳＳＩＤの提案を含むハンドオーバ要求を端末８０２に送信して応答することにより、端末８０２に対して正規のＳＳＩＤの接続要求をアクセスポイント８０１に送信させると共に、接続許可することができる。
（４）第４の実施の形態による情報配信システム
（４−１）情報配信システムによるアクセスポイントと端末間の動作
次に、第４の実施の形態による情報配信システムについて、図面を参照しながら詳細に説明する。
【０１６１】
図１３のシーケンス図では、第４の実施の形態における情報配信システムのアクセスポイント８０１と端末８０２間のフレームの応答を示す。
【０１６２】
まず始めに、ステップＳ１４１、ステップＳ１４２、ステップＳ１４３では、アクセスポイント８０１が、端末８０２にビーコンフレームを送信する。
【０１６３】
この３つのビーコンの各ＳＳＩＤフィールドには、アクセスポイント８０１が端末８０２に向けて送信すべきデータが格納されている。
【０１６４】
ステップＳ１４４では、端末８０２が、ＳＳＩＤ：Ｃのビーコンフレームから接続要求フレームを生成し、その接続要求フレームをアクセスポイント８０１に送信する。
【０１６５】
ステップＳ１４５では、アクセスポイント８０１は、端末８０２からの仮想ＳＳＩＤを含む接続要求に対し、アクセスポイント８０１から端末８０２へ一時的な接続許可応答フレームを送信する。
【０１６６】
ステップＳ１４６では、アクセスポイント８０１は、アクセスポイント８０１から端末８０２へ一時的な接続許可応答の後に、アクセスポイント８０１から端末８０２に対して正規のＳＳＩＤをハンドオーバ先ＳＳＩＤ：Ａを含むハンドオーバ要求を送信する。
【０１６７】
ステップＳ１４７では、端末８０２が、アクセスポイント８０１からのハンドオーバ要求（ステップＳ１４６）に対して、その中に含まれて提案されているハンドオーバ先の正規のＳＳＩＤ：Ａを含む接続要求フレームをアクセスポイント８０１へ送信する。
【０１６８】
ステップＳ１４８では、アクセスポイント８０１は、端末８０２から正規のＳＳＩＤによる接続要求（ステップＳ１４７）に対して、接続許可応答フレームを端末８０２へ送信する。
（４−２）第４の実施の形態における情報配信システムの効果
本実施の形態によれば、アクセスポイント８０１は、端末８０２に一時的な接続許可を送信すると共に、正規のＳＳＩＤであるハンドオーバ先を含むハンドオーバ要求を送信するので、端末８０２は、アクセスポイント８０２に対して正規のＳＳＩＤを含む接続要求フレームを送信することができる。
【０１６９】
これにより、アクセスポイント８０１は、端末８０２と正規のＳＳＩＤにて接続許可することができる。
（５）実施例
次に、具体的な実施例を用いて、本発明のおける実施の形態に対応する動作を説明する。
【０１７０】
図１４は、具体的な実施例として、アクセスポイント８０１が端末８０４に情報を送信する場合について、具体的に示したものである。
【０１７１】
ここで、端末は、端末８０２から８０４の何れであってもよいが、表示する端末画面の形状から、端末８０４を用いて説明する。
【０１７２】
図１４に示す端末８０２の端末画面には、アクセスポイント８０１が送信すべき情報が、「ＮＥＣ、変えていくチカラ、それがＮＥＣのユビキタス」１３０１である場合について、示したものである。
【０１７３】
まず、仮想ＳＳＩＤ処理部１１０４（図５）は、送付すべき情報である「ＮＥＣ、変えていくチカラ、それがＮＥＣのユビキタス」を、３２Ｂｙｔｅより小さい単位であって、かつ人間が読みやすい単位に分割する。
【０１７４】
この場合、仮想ＳＳＩＤ処理部１１０４は、「ＮＥＣ」１３０２と、「変えていくチカラ」１３０３と、「それがＮＥＣのユビキタス」１３０４との３つの部分に分割する。
【０１７５】
分割された各情報は、それぞれ別のＳＳＩＤとして、アクセスポイント８０１から送信されるビーコンフレームに格納されて、端末８０４へ送信される。
【０１７６】
この場合、正規のＳＳＩＤは「ＮＥＣ」１３０２であり、仮想ＳＳＩＤは「変えていくチカラ」１３０２と、「それがＮＥＣのユビキタス」１３０４である。
【０１７７】
上記ＳＳＩＤを含むビーコンフレームを受信した端末８０４は、ビーコンフレームからＳＳＩＤを抽出し、端末８０４の画面に表示する。
【０１７８】
これにより、正規のＳＳＩＤである「ＮＥＣ」を用いて接続要求をアクセスポイント８０１に送信した場合でも、それ以外のＳＳＩＤを用いて接続要求を送信した場合でも、端末８０４は、最終的に正規のＳＳＩＤ「ＮＥＣ」で表されるネットワークに接続され、接続処理が終了する。
【産業上の利用可能性】
【０１７９】
本発明によれば、無線ＬＡＮのビーコンフレーム内のＳＳＩＤフィールドを利用した、局所的な広告と無線ＬＡＮ接続サービスといった用途に適用することができる。
【図面の簡単な説明】
【０１８０】
【図１】本発明に係る第１の実施の形態による情報配信システムの構成を示す模式図である。
【図２】本発明に係る第１の実施の形態による情報配信システムの端末が複数のＳＳＩＤと複数のビーコンフレームを受信した場合の画面表示例を示す図である。
【図３】本発明に係る第１の実施の形態による端末を構成する通信装置の構成図である。
【図４】本発明に係る第１の実施の形態による端末の構成を説明するブロック図である。
【図５】本発明に係る第１の実施の形態によるアクセスポイントの構成を説明するブロック図である。
【図６】本発明に係る第１の実施の形態において、ビーコンフレーム内のＳＳＩＤフィールドの送信すべき情報が、ＳＳＩＤフィールドの長さの最大長を超えた場合に、複数のＳＳＩＤに分割されて送信される図である。
【図７】本発明に係る第１の実施の形態において、端末がアクセスポイントへ接続動作を行う際の全体動作を示すフローチャートである。
【図８】本発明に係る第１の実施の形態において、アクセスポイントが送信すべき情報を送信するビーコン送信動作を示すフローチャートである。
【図９】本発明に係る第１の実施の形態において、端末からの帰属要求フレームに対する応答動作を示すフローチャートである。
【図１０】本発明に係る第１の実施の形態において、アクセスポイントが仮想ＳＳＩＤによる端末からの接続要求に対して応答しないことにより、正規のＳＳＩＤに接続させる仕組みを示すシーケンス図である。
【図１１】本発明に係る第２の実施の形態において、アクセスポイントが仮想ＳＳＩＤによる端末からの接続要求に対して理由付きで不許可応答をすることにより、正規ＳＳＩＤに接続させる仕組みを示すシーケンス図である。
【図１２】本発明に係る第３の実施の形態において、アクセスポイントが仮想ＳＳＩＤによる端末からの接続要求に対して正規のＳＳＩＤへのハンドオーバの要求を含む不許可応答を返すことにより、正規ＳＳＩＤに接続させる仕組みを示すシーケンス図である。
【図１３】本発明に係る第４の実施の形態において、アクセスポイントが仮想ＳＳＩＤによる端末からの接続要求に対して一時的に接続を許可した上で、正規のＳＳＩＤへのハンドオーバ要求を端末へ送信することにより、正規ＳＳＩＤに接続させる仕組みを示すシーケンス図である。
【図１４】本発明に係る具体的な実施例におけるアクセスポイントから端末へ複数のＳＳＩＤと複数のビーコンフレームを利用した情報を送信した送信状態及び端末画面に表示した状態を示した図である。
【図１５】非特許文献１において、アクセスポイントと端末との関係、及びアクセスポイントのＳＳＩＤの関係を示した模式図である。
【図１６】非特許文献１において、アクセスポイントから端末に向けて一定周期でビーコンフレームが送信されることを示すシーケンス図である。
【図１７】非特許文献１において、アクセスポイントから端末に向けて一定周期で送信されるビーコンフレームのフレームフォーマット（ビーコンフレームフォーマット）を示す模式図である。
【図１８】非特許文献１において、アクセスポイントから端末に向けて一定周期で送信されるビーコンフレームを端末が受信し、その中のＳＳＩＤを抽出して端末画面に表示する表示例を示す模式図である。
【図１９】非特許文献１において、端末が受信したビーコンフレームを基に、端末からアクセスポイントへ接続要求フレームを送信する状態と、それに伴うデータフレームとＡＣＫフレームの送受信を示すシーケンス図である。
【図２０】特許文献１における無線ＬＡＮホットスポットを備えた情報配信システムを示す模式図である。
【図２１】特許文献１における情報配信システムのイベント情報配信システムの構成を示すブロック図である。
【図２２】特許文献１における情報配信システムの無線ＬＡＮアクセスポイントの構成を示すブロック図である。
【図２３】特許文献１における情報配信システムのイベント情報受信端末の構成を示すブロック図である。
【図２４】特許文献１における情報配信システムの無線ＬＡＮアクセスポイントとイベント情報受信端末間の電波ビーコンの送受信を示す模式図である。
【図２５】特許文献１における情報配信システムのイベント情報配信サーバ、無線ＬＡＮアクセスポイント、イベント情報受信端末間の情報の送受信を示す模式図である。
【符号の説明】
【０１８１】
１０１  企業端末
１０２  イベント情報配信システム
１０２−１  イベント情報収集サーバ
１０２−２  イベント情報配信サーバ
１０２−２−１  配信コンテンツ
１０３  無線ＬＡＮアクセスポイント
１０３Ａ、１０３Ｂ  無線ＬＡＮアクセスポイント
１０３−１  イベント情報受信部
１０３−２  電波ビーコン送信部
１０４  イベント情報受信端末
１０４Ａ、１０４Ｂ、１０４Ｃ  イベント情報受信端末
１０４−１  電波ビーコン受信部
１０４Ａ−１  電波ビーコン受信部
１０４Ｂ−１  電波ビーコン受信部
１０４Ｃ−１  電波ビーコン受信部
１０４−２  イベント情報表示部
１０５  ホットスポット
１０６  インターネット
５０１、５０１Ａ、５０１Ｂ  アクセスポイント
５０２Ａ、５０２Ｂ  端末
７０１、７０２、７０３  ＳＳＩＤ
８０１  アクセスポイント
８０２、８０３、８０４  端末
９０１  通信装置
９０２  アプリケーション
９０３  ＭＡＣ
９０４  物理層
９０３０  ＭＡＣ
９０４０  物理層
１００１  ＳＳＩＤ表示部
１００２  ＳＳＩＤデータ処理部
１００３  ＳＳＩＤフィールド抽出部
１００４  フレーム解析部
１００５  接続処理部
１１０１  フレームタイプ毎処理振り分け部
１１０２  フレーム解析部
１１０３  接続処理部
１１０４  仮想ＳＳＩＤ処理部
１１０５  ＳＳＩＤフィールド抽出部
１１０６  ビーコンフレーム生成部
１１０７  ＳＳＩＤ送信情報管理部
１２０１  送るべき情報
１２０２  正規ＳＳＩＤ
１２０３、１２０４  仮想ＳＳＩＤ
１３０１  送るべき情報
１３０２  正規ＳＳＩＤ
１３０３、１３０４  仮想ＳＳＩＤ
【図１】
2008219482.tif 000003
【図２】
2008219482.tif 000004
【図３】
2008219482.tif 000005
【図４】
2008219482.tif 000006
【図５】
2008219482.tif 000007
【図６】
2008219482.tif 000008
【図７】
2008219482.tif 000009
【図８】
2008219482.tif 000010
【図９】
2008219482.tif 000011
【図１０】
2008219482.tif 000012
【図１１】
2008219482.tif 000013
【図１２】
2008219482.tif 000014
【図１３】
2008219482.tif 000015
【図１４】
2008219482.tif 000016
【図１５】
2008219482.tif 000017
【図１６】
2008219482.tif 000018
【図１７】
2008219482.tif 000019
【図１８】
2008219482.tif 000020
【図１９】
2008219482.tif 000021
【図２０】
2008219482.tif 000022
【図２１】
2008219482.tif 000023
【図２２】
2008219482.tif 000024
【図２３】
2008219482.tif 000025
【図２４】
2008219482.tif 000026
【図２５】
2008219482.tif 000027